(57)【要約】【課題】左右の天板の拡開・折畳み作業を容易に行え、作業時の安全性にも優れ、老人や子供、身障者などでも容易に取り扱うことができる折畳み式卓球台を提供する。【解決手段】天板１，１’が内側支持脚５，５’と外側支持脚１５，１５’で水平に支持される拡開状態ではガスダンパー７，７’が収縮しており、この状態から天板１，１’を折畳み方向へ回動させるとガスダンパー７，７’が伸張作動して両天板の回動を付勢し該付勢力により、両天板がその表面側を向い合せにして立ち上がると共に内側支持脚５，５’と外側支持脚１５，１５’がその天板１，１’裏面に沿って立ち上がる折畳み状態に変形するので、該折畳みに要する労力を大幅に軽減し得る。折畳み状態にある両天板１，１’を拡開方向へ回動させると、各天板重量によりガスダンパー７，７’が収縮作動して拡開状態に変形するが、ガスダンパーの弾発力が各天板の重量を受けてその負荷を緩衝し、拡開作業の安全性を大幅に向上し得ると共に拡開時の音を低減することができる。【選択図】　図１３
0003098227.tif 000002
【実用新案登録請求の範囲】
【請求項１】
左右の天板１，１’と、該両天板前端１ａ，１ａ’の突合せ縁裏面に設けた内折れ式の蝶番２，２’と、下端にキャスター３，３’を有し上端側を各天板裏面に枢着４，４’される左右の内側支持脚５，５’と、上端側を各天板裏面に枢着１４，１４’される左右の外側支持脚１５，１５’と、前記各蝶番２，２’と外側支持脚１５，１５’の間に配設される連結杆１６，１６’，各々の天板における左右の内側支持脚にわたって架設されるつなぎ杆９，９’，各連結杆１６，１６’中間部から各天板裏面の後部にわたって配設される回動杆１０，１０’からなるリンク杆機構６，６’とを備え、
前記連結杆１６，１６’前端を蝶番２，２’下部に枢着１１，１１’すると共に、同連結杆中間部に回動杆１０，１０’前端を枢着１２，１２’し、且つ回動杆１０，１０’の後端部を天板裏面に対し摺動可能に枢着１３，１３’して、
左右の天板１，１’が内外の支持脚５，５’、１５，１５’により水平に支持される拡開状態と、左右天板１，１’が蝶番２，２’を支点に回動しその表面側を向い合せにして立ち上がると共に内外の支持脚５，５’、１５，１５’がその天板裏面に沿って立ち上がるよう内折れ式に折畳まれる折畳み状態とに変形自在に形成した折畳み式卓球台であって、
左右天板１，１’の裏面側に、これら天板の折畳み方向への回動を付勢するガスダンパー７，７’を設け、各ガスダンパー７，７’が、各天板１，１’における左右側面の何れか一方で且つ両天板１，１’において異なる側面に位置するよう配置されており、各ガスダンパー７，７’の後端を天板裏面における支持脚５，５’上端近傍に枢着１７，１７’すると共に、各ガスダンパー７，７’の伸縮ロッド１８，１８’の先端部を、連結杆１６，１６’前端に枢着１１，１１’して、これらガスダンパーにより、前記天板１，１’の折畳み動作の補助と該天板１，１’拡開時の緩衝を行うよう形成すると共に、
左右天板１，１’を折畳んだ際の各天板１，１’の表面側の密着を防止するショックアブソーバ８０，８０’を備えたことを特徴とする折畳み式卓球台。
【請求項２】
左右天板１，１’の折畳み状態、拡開状態を解除可能にロックするロック機構５０，５０’を備え、該ロック機構５０，５０’は、天板１，１’後端側の裏面にガイド溝３５，３５’を有するプレート３６，３６’を固定し、回動杆１０，１０’の後端をそのガイド溝３５，３５’に対し摺動且つ回動可能に枢着１３，１３’し、ガイド溝３５，３５’に摺動自在に挿入される回動枠１０，１０’の枢着軸５１の外端側に該枢着軸５１を回動操作する摘み５２を設けると共に、枢着軸５１内端側に設けたネジ部に螺合するナット部材５３を備え、摘み５２を締め方向へ回動操作し該摘み５２とナット部材５３でプレート３６を挟持することで枢着軸５１の摺動を不能として左右天板１，１’の折畳み状態，拡開状態をロックする一方、摘み５２を緩み方向へ回動操作し該摘み５２とナット部材５３による前記プレート３６の挟持を解除することで枢着軸５１の摺動を自在として左右天板１，１’の折畳み作動，拡開作動を可能とするよう形成されていることを特徴とする請求項１記載の折畳み式卓球台。
【請求項３】
上記各蝶番２，２’が、相互に回動自在に枢着２０される左右の回動板２１，２１’からなり、各回動板２１，２１’は、上部に前側枢着部２２，２２’と後側枢着部２３，２３’を、下部に下側枢着部２４，２４’を有し、左右天板１，１’各々の左右側縁裏面に設けた補強桟３０，３０’の前端１ａ，１ａ’寄りに設けたガイド溝３１，３１’に後側枢着部２３，２３’を摺動自在に枢着３２，３２’する一方、前側枢着部２２，２２’は、上記突合せ縁を跨いで他方の天板における補強桟３０，３０’の前端１ａ，１ａ’寄りに枢着３３，３３’し、且つ下側枢着部２４，２４’を、リンク杆機構６，６’における連結杆１６，１６’の前端に枢着１１，１１’してなることを特徴とする請求項１又は２記載の折畳み式卓球台。
【考案の詳細な説明】
【０００１】
【考案の属する技術分野】
本考案は折畳み式卓球台に関し、詳しくは、左右の天板を、その表面側が向い合せになるよう立ち上げた折畳み状態（収納状態）と、両天板が左右八本の内外の支持脚で支持されてほぼ水平に展開する拡開状態（使用状態）とに変形可能に形成された内折れタイプの折畳み式卓球台に関する。
【０００２】
【従来の技術】
従来、この種卓球台として、左右の天板と、該両天板の前端側になる突合せ縁の下面に設けた内折れ式の蝶番と、下端にキャスターを有し上端側を各天板裏面に枢着される左右の内側支持脚と、上端側を各天板裏面に枢着される左右の外側支持脚と、各支持脚と蝶番の間に配設される連結杆と、左右の支持脚にわたって架設されるつなぎ杆などを備え、前記連結杆の内端側を蝶番適所に枢着すると共に、同連結杆の中途部を支持脚の中高部位に枢着して、左右天板が内外八本の各支持脚により水平に支持される拡開状態（使用状態）と、左右天板がその表面側を向い合せにして立ち上がると共に内外八本の各支持脚がその天板裏面に沿って立ち上がるよう折畳まれる折畳み状態（収納状態）とに変形自在に形成した内折り式のものが知られている。
このような内折りタイプの折畳み式卓球台は、上記拡開状態において各支持脚により天板を水平に支持して使用に供する一方、収納時は上記折畳み状態に折り畳んで収納スペースを縮小し得るようになっている。
【０００３】
【考案が解決しようとする課題】
処で、上述したような従来の折畳み式卓球台によれば、左右の天板が重量物であることから、折畳みの際には両天板の後端を一定の位置まで押し上げると、蝶番、支持脚、連結杆などのリンク機能が働いて急速に両天板がほぼ垂直に立ち上がるようになっており、また、拡開の際には左右天板の後端を一定の位置まで押し下げると、同様にリンク機能が働いて急速に両天板が拡がるようになっており、迅速な拡開・折畳みを可能にする点では優れるものの、取り扱いに際し十分な注意を払う必要があった。
加えて、夫々の天板が重量物であるため、上記拡開・折畳みの際には左右の天板の後端側に１人づつ作業者が立ち、各作業者が一定位置まで天板を押し上げたり押し下げたりするためにかなりの労力を要するばかりか、一方の作業者のほうが力が強く片方の天板の押し上げ、押し下げに勢いがついてしまった場合、その勢いで天板が他方側へ倒れる虞れがあるので、殊更慎重な作業を必要とするばかりか、老人や子供などが取り扱うのは困難であるという問題があった。
【０００４】
本考案はこのような従来事情に鑑みてなされたものであり、その目的とする処は、左右の天板の拡開・折畳み作業を１人の作業者でも容易に行えると共に、作業時の安全性にも優れ、老人や子供、身障者などであっても容易に取り扱うことができる折畳み式の卓球台を提供することにある。
【０００５】
【課題を解決するための手段】
以上の目的を達成するために本考案の請求項１は、左右の天板１，１’と、該両天板前端１ａ，１ａ’の突合せ縁裏面に設けた内折れ式の蝶番２，２’と、下端にキャスター３，３’を有し上端側を各天板裏面に枢着４，４’される左右の内側支持脚５，５’と、上端側を各天板裏面に枢着１４，１４’される左右の外側支持脚１５，１５’と、前記各蝶番２，２’と外側支持脚１５，１５’の間に配設される連結杆１６，１６’，各々の天板における左右の内側支持脚にわたって架設されるつなぎ杆９，９’，各連結杆１６，１６’中間部から各天板裏面の後部にわたって配設される回動杆１０，１０’からなるリンク杆機構６，６’とを備え、
前記連結杆１６，１６’前端を蝶番２，２’下部に枢着１１，１１’すると共に、同連結杆中間部に回動杆１０，１０’前端を枢着１２，１２’し、且つ回動杆１０，１０’の後端部を天板裏面に対し摺動可能に枢着１３，１３’して、
左右の天板１，１’が内外の支持脚５，５’、１５，１５’により水平に支持される拡開状態と、左右天板１，１’が蝶番２，２’を支点に回動しその表面側を向い合せにして立ち上がると共に内外の支持脚５，５’、１５，１５’がその天板裏面に沿って立ち上がるよう内折れ式に折畳まれる折畳み状態とに変形自在に形成した折畳み式卓球台であって、
左右天板１，１’の裏面側に、これら天板の折畳み方向への回動を付勢するガスダンパー７，７’を設け、各ガスダンパー７，７’が、各天板１，１’における左右側面の何れか一方で且つ両天板１，１’において異なる側面に位置するよう配置されており、各ガスダンパー７，７’の後端を天板裏面における支持脚５，５’上端近傍に枢着１７，１７’すると共に、各ガスダンパー７，７’の伸縮ロッド１８，１８’の先端部を、連結杆１６，１６’前端に枢着１１，１１’して、これらガスダンパーにより、前記天板１，１’の折畳み動作の補助と該天板１，１’拡開時の緩衝を行うよう形成すると共に、
左右天板１，１’を折畳んだ際の各天板１，１’の表面側の密着を防止するショックアブソーバ８０，８０’を備えたことを特徴とする。
【０００６】
このように形成した場合、左右の天板が内外の八本の支持脚により水平に支持される拡開状態にあってはガスダンパーの伸縮ロッドが収縮状態にあり、この状態から左右天板を折畳み方向へ回動させると、ガスダンパーの伸縮ロッドが伸張して両天板の折畳み方向への回動を付勢し、該付勢力により、両天板がその表面側を向い合せにして立ち上がると共に前記内外の支持脚がその天板裏面に沿って立ち上がるよう折畳まれる折畳み状態に変形する。よって、ガスダンパーにおける伸縮ロッドの弾発力を任意に調整することで、前記折畳み作動時における左右天板の折畳み方向への回動スピードを適宜に設定することが出来、両天板の折畳みに要する労力を大幅に軽減することができる。また、折畳み状態にある両天板を拡開方向へ回動させると、各天板の重量によりガスダンパーの伸縮ロッドが収縮して両天板の拡開がなされるが、このとき、各天板が自身の重みで拡開方向へ急速に回動しようとしても、ガスダンパーの収縮負荷（弾発力）がこれを緩衝し、拡開作業時の安全性を向上することができる。該拡開時における左右天板の拡開方向への回動スピードは、ガスダンパーにおける伸縮ロッドの弾発力（収縮力）を任意に調整することで適宜に設定可能であることは言うまでもない。
従って、天板の折畳み、拡開に要する労力を大幅に軽減し得ると共に、取り扱いの安全性を大幅に向上することが出来る。
【０００７】
また、ガスダンパー７，７’を、各天板１，１’における左右側面の何れか一方で且つ両天板１，１’において異なる側面に位置するよう配置し、各ガスダンパー７，７’の後端を天板裏面における支持脚５，５’上端近傍に枢着１７，１７’すると共に、各ガスダンパー７，７’の伸縮ロッド１８，１８’の先端部を、連結杆１６，１６’前端に枢着１１，１１’したので、ガスダンパーの数を最小限としながら、左右天板の折畳み動作の補助と両天板拡開時の緩衝を確実に行うことができる。
【０００８】
ところで、本考案に係る折畳み式卓球台は、ガスダンパーによる付勢力を利用して容易に折畳み可能であり、従来は二人がかりで行っていた折畳み作業を一人で行うことも可能になる。この場合作業者は、左右天板の前端突合せ縁の側方に立って両天板を折畳み方向へ回動操作するようになるが、左右天板が折畳まれた際に両天板が密着して作業者が指を挟んでしまう可能性が残るので、左右天板を折畳んだ際の各天板の表面側の密着を防止するショックアブソーバを備えている。
【０００９】
また、本考案に係る折畳み式卓球台は、左右の天板が内外の左右八本の支持脚で支持されるので、例えば公式試合等でも使用される所謂通常仕様の卓球台として提供することができる。
【００１０】
左右天板が折畳み状態又は拡開状態にある時に誤ってガスダンパーが伸張又は収縮し、卓球台使用中に左右天板が折り畳まれてしまったり運搬中に左右天板が拡開するような虞れを無くすために、請求項２記載されるような構成の、左右天板の折畳み状態、拡開状態を解除可能にロックするロック機構を備えることが好ましい。
【００１１】
卓球台を設置する床面との関係などで、拡開状態にある左右天板の水平度に狂いが生じる可能性があるので、左右天板を拡開した際の各天板の水平度を調整する調整機構を備え、左右天板の水平度を補正し得るようにすることが好ましい。
【００１２】
本考案に係る折畳み式卓球台は、請求項３記載のように、相互に回動自在に枢着２０される左右の回動板２１，２１’からなり、各回動板２１，２１’は、上部に前側枢着部２２，２２’と後側枢着部２３，２３’を、下部に下側枢着部２４，２４’を有し、左右天板１，１’各々の左右側縁裏面に設けた補強桟３０，３０’の前端１ａ，１ａ’寄りに設けたガイド溝３１，３１’に後側枢着部２３，２３’を摺動自在に枢着３２，３２’する一方、前側枢着部２２，２２’は、上記突合せ縁を跨いで他方の天板における補強桟３０，３０’の前端１ａ，１ａ’寄りに枢着３３，３３’し、且つ下側枢着部２４，２４’を、リンク杆機構６，６’における連結杆１６，１６’の前端に枢着１１，１１’してなる蝶番を好ましく用いることができる。
【００１３】
【考案の実施の形態】
以下、本考案に係る折畳み式卓球台の実施形態の一例を図面を参照して説明する。
本考案に係る折畳み式卓球台は、内外の支持脚５，５’，１５，１５’により左右の天板１，１’を支持する所謂通常タイプ（八本脚タイプ）のものであるが、説明の都合上、まず、バリアフリータイプ（四本脚タイプ）の折畳み式卓球台について説明する。
図１〜図４には、本考案の技術範疇には属さない、所謂バリアフリータイプの折畳み式卓球台を参考例として示し、該卓球台Ａは、左右の天板１，１’、内折れ式の蝶番２，２’、キャスター３，３’を有する左右の支持脚５，５’、前記蝶番２，２’と支持脚５，５’の間に配設されるリンク杆機構６，６’、ガスダンパー７，７’などを備えてなり、左右の天板１，１’が支持脚５，５’により水平に支持される拡開状態と、左右天板１，１’がその表面側を向い合せにして立ち上がると共に支持脚５，５’がその天板裏面に沿って立ち上がるよう内折れ式に折畳まれる折畳み状態とに変形自在に形成されている。
【００１４】
すなわち、左右の天板１，１’は、両天板１，１’の突合せ縁となる各天板の前端１ａ，１ａ’を跨ぐよう天板裏面に設けた蝶番２，２’により、内折り方向へ回動自在に連結されている。該蝶番２，２’は図５〜図７に拡大して示すように、相互に回動自在に枢着２０される左右の回動板２１，２１’からなっている。
各回動板２１，２１’は、上部に前側枢着部２２，２２’と後側枢着部２３，２３’を、下部に下側枢着部２４，２４’を有し、左右天板１，１’各々の左右側縁裏面に設けた補強桟３０，３０’の前端１ａ，１ａ’寄りに設けたガイド溝３１，３１’に後側枢着部２３，２３’を摺動且つ回動自在に枢着３２，３２’する一方、前側枢着部２２，２２’は、上記突合せ縁を跨いで他方の天板における補強桟３０，３０’の前端１ａ，１ａ’寄りに回動自在に枢着３３，３３’され、且つ下側枢着部２４，２４’はリンク杆機構６，６’における連結部８，８’又は１６，１６’の前端に回動自在に枢着１１，１１’されている。
【００１５】
リンク杆機構６，６’は、前記各蝶番２，２’と支持脚５，５’の間に配設される連結杆８，８’と、天板１，１’における左右支持脚５，５、５’，５’にわたって架設されるつなぎ杆９，９’と、各連結杆８，８’後端から各天板裏面の後部にわたって配設される回動杆１０，１０’などを備える。連結杆８，８’前端は蝶番２，２’の下部枢着部に回動自在に枢着１１，１１’され、同連結杆後端には回動杆１０，１０’前端が回動自在に枢着１２，１２’されている。天板１，１’後端側の裏面には、ガイド溝３５，３５’を有するプレート３６，３６’を固定し、回動杆１０，１０’の後端がそのガイド溝３５，３５’に対し摺動且つ回動可能に枢着１３，１３’されている。
【００１６】
支持脚５，５’は下端にキャスター３，３’を有し、上端側を各天板１，１’の裏面に回動自在に枢着４，４’するもので、夫々の天板１，１’において左右両側に配されると共に、その左右支持脚５，５、５’，５’にわたって架設されるつなぎ杆９，９’により相互に連結されている。
左右の支持脚５，５’は図示の如く、天板の前端１ａ，１ａ’寄りに設けられ、これにより天板１，１’の後端寄り下方に車椅子等が移動可能な空間が確保され、車椅子を使用する身障者等でも使用可能な卓球台を構成している。
【００１７】
ガスダンパー７，７’は、各天板１，１’における左右何れか一方の側面で且つ両天板１，１’において異なる側面に位置するように配設されている。又各ガスダンパー７，７’は、その後部を上記補強桟３０，３０’における支持脚５，５’の上端近傍に回動自在に枢着１７，１７’すると共に、その伸縮ロッド１８，１８’の先端部を連結杆８，８’前端に回動自在に枢着１１，１１’して、天板１，１’とリンク杆機構６，６’にわたって配設され、伸縮ロッド１８，１８’の伸張により天板１，１’の折畳み方向への回動を付勢し、伸縮ロッド１８，１８’の収縮により天板１，１’拡開時の荷重負担を緩衝するように設置されている。
【００１８】
尚、ガスダンパー７，７’の弾発力が大きい場合は、左右の天板１，１’を折り畳む際の押上げ力が小さくて済むが、同弾発力が大きすぎると、左右天板１，１’を拡開する際に大きな押し下げ力を要するので、同弾発力は、前記折畳みと拡開の双方を容易に行い得る程度な適宜弾発力に設定することは言うまでもない。また該弾発力を適宜に設定することで、左右天板１，１’を拡開方向へ回動させた際の天板１，１’の荷重をガスダンパー７，７’で緩衝し、左右天板１，１’拡開時の衝撃を緩和することが可能になる。
【００１９】
また、この卓球台Ａは、左右天板１，１’の折畳み状態，拡開状態を解除可能にロックするロック機構５０，５０’、左右天板１，１’の拡開状態（使用状態）において各天板１，１’の水平度を調整する調整機構６０，６０’、左右天板１，１’を折畳んだ際の各天板１，１’の表面側の密着を防止するショックアブソーバ８０，８０’などを備えている。
【００２０】
ロック機構５０，５０’は図８，図９に示すように、ガイド溝３５に摺動自在に挿入される回動枠１０，１０’の枢着軸５１の外端側に該枢着軸５１を回動操作する摘み５２を設けると共に、枢着軸５１内端側に設けたネジ部に螺合するナット部材５３を備え、摘み５２を締め方向へ回動操作し該摘み５２とナット部材５３でプレート３６を挟持することで枢着軸５１の摺動を不能として左右天板１，１’の折畳み状態，拡開状態をロックする一方、摘み５２を緩み方向へ回動操作し該摘み５２とナット部材５３による前記プレート３６の挟持を解除することで枢着軸５１の摺動を自在として左右天板１，１’の折畳み作動，拡開作動を可能とするよう形成されている。
【００２１】
調整機構６０，６０’は図８，図９に示すように、上記プレート３６の外端に、回動杆１０，１０’の端部に接離する螺軸６１を回動杆１０，１０’に対し螺動進退自在に配置すると共に、該螺軸６１を回動操作する摘み６２を設け、該摘み６２の正方向への回動操作で螺軸６１が回動杆１０，１０’を押すことで回動杆１０，１０’後端が上昇して左右天板１，１’角部が押し上げられる（図９（ロ）参照）一方、摘み６２の逆方向への回動操作で螺軸６１が回動杆１０，１０’から離れることで回動杆１０，１０’後端と共に左右天板１，１’角部が下降する（図９（ハ）参照）よう形成されている。
【００２２】
ショックアブソーバ８０，８０’は、左右支持脚５，５’の内側に設けた弾発スプリングなどのダンパー部材で、左右天板１，１’を折畳んだ際にこれらショックアブソーバ８０，８０’が天板１，１’裏面に当接して、該折畳み時における両天板１，１’の表面側の密着を防止するよう形成されている。
【００２３】
以上のように構成したこの折畳み式卓球台Ａの使用方法を説明すれば、使用時においては図１に示すように、左右の天板１，１’が支持脚５，５’で水平に支持される拡開状態にあり、この時、ガスダンパー７，７’は収縮状態にあると共に、夫々のロック機構５０，５０’において摘み５２を締め方向へ回動操作し枢着軸５１の摺動（回動杆１０，１０’の回動）を不能としてガスダンパー７，７’の伸張作動を防止し、拡開状態をロックしてある。またこの時、設置床面Ｂとの関係で左右天板１，１’の水平度に狂いが生じている場合は、左右天板１，１’の各角部における任意の調整機構６０，６０’において、摘み６２を正逆何れかの方向へ回動操作し螺軸６１の螺動進退により天板１，１’の角部を上昇又は下降させて水平度を調整する。
【００２４】
卓球台Ａを収納する場合は、夫々のロック機構５０，５０’において摘み５２を緩み方向へ回動操作し枢着軸５１の摺動（回動杆１０，１０’の回動）を自在としてガスダンパー７，７’の伸張を可能とし前記拡開状態のロックを解除した後、左右の天板１，１’を折畳み方向へ僅かに押し上げれば、ガスダンパー７，７’のロッド１８，１８’が伸張しその付勢力により両天板１，１’が折畳み方向へ回動し、該両天板１，１’がその表面側を向い合せにして立ち上がると共に、支持脚５，５’がその天板１，１’裏面に沿って立ち上がるよう折畳まれる（図２〜図３参照）。該折畳み作業は、１人の作業者が左右天板１，１’の突合せ縁の側方に立って両天板１，１’を折畳み方向へ回動操作することで可能である。またこのとき、ショックアブソーバ８０，８０’が天板１，１’裏面に当接して該折畳み時における両天板１，１’の表面側の密着を防止し、前記作業者が両天板１，１’で指を挟まれる恐れなく折畳み作業を行うことができる。
該折畳み終了後、夫々のロック機構５０，５０’において摘み５２を締め方向へ回動操作し枢着軸５１の摺動を不能としてガスダンパー７，７’の収縮作動を防止し、折畳み状態をロックする。
【００２５】
図３に示す折畳み状態から拡開状態に戻す場合は、夫々のロック機構５０，５０’において摘み５２を緩み方向へ回動操作し前記折畳み状態のロックを解除した後、左右の天板１，１’を拡開方向へ所定量押し下げれば、各天板１，１’の荷重でガスダンパー７，７’のロッド１８，１８’が収縮すると共に自重により両天板１，１’が回動して支持脚５，５’で水平に支持される拡開状態に復帰する。このとき、ガスダンパー７，７’の弾発力で天板１，１’の落下荷重を受けて、天板１，１’の回動が緩やかになされ、天板１，１’拡開時の衝撃を緩衝して、作業の安全性を確保すると共に拡開時の音を低減することができる。
【００２６】
図１０〜図１３には、本考案の実施形態の一例として、公式試合用として或いは健常者などが使用する所謂通常タイプの折畳み式卓球台Ａ’を示す。この卓球台Ａ’は、図１〜図９で説明した卓球台Ａに外側支持脚１５，１５’を付加すると共に、前述の調整機構６０，６０’に代えて調整機構７０，７０’を設けたもので、それ以外の構成要素は前述の卓球台Ａと同一であるため、図中に上記と同一の符号を付すなどして重複する説明、図示を一部省略し、相違点のみ以下に述べる。
【００２７】
すなわち、本例の卓球台Ａ’は、前述の支持脚５，５’を内側支持脚５，５’とすると共に、天板１，１’の後端寄りに外側支持脚１５，１５’を備えており、該外側支持脚１５，１５’は、下端に調整機構７０，７０’を有し上端側を各天板裏面に回動自在に枢着１４，１４’したもので、これら内外の支持脚５，５’、１５，１５’を備えることで公式試合用或いは健常者などが使用する所謂通常タイプ（八本脚タイプ）の折畳み式卓球台を構成するものである。
【００２８】
該卓球台Ａ’においては、上述した連結杆８，８’に代えて、各蝶番２，２’と外側支持脚１５，１５’の間に配設される連結杆１６，１６’を備え、回動杆１０，１０’は各連結杆１６，１６’中間部から各天板裏面の後部にわたって配設されている。また、連結杆１６，１６’前端を蝶番２，２’下部に回動自在に枢着１１，１１’すると共に、同連結杆中間部に回動杆１０，１０’前端を回動自在に枢着１２，１２’し、且つ回動杆１０，１０’の後端部を天板裏面に対し回動且つ摺動可能に枢着１３，１３’し、連結杆１６，１６’後端を外側支持脚１５，１５’に回動自在に枢着１９，１９’して、左右の天板１，１’が内外の支持脚５，５’、１５，１５’により水平に支持される拡開状態と、左右天板１，１’が蝶番２，２’を支点に回動しその表面側を向い合せにして立ち上がると共に内外の支持脚５，５’、１５，１５’がその天板裏面に沿って立ち上がるよう内折れ式に折畳まれる折畳み状態とに変形自在に形成されている。
【００２９】
本例における調整機構７０，７０’は、夫々の外側支持脚１５，１５’の下端に螺合させた螺軸７１，７１’下端にアジャスタ脚７２，７２’を取り付けてなり、該アジャスタ脚７２，７２’の正方向への回動操作で該アジャスタ脚７２，７２’が上昇して左右天板１，１’角部が押し上げられる一方、アジャスタ脚７２，７２’の逆方向への回動操作で該アジャスタ脚７２，７２’が下降して左右天板１，１’角部が下降するよう形成されている。
【００３０】
以上の構成になる本例の折畳み式卓球台Ａ’の使用方法は基本的には前述の卓球台Ａと同様であるが、使用時においては図１０に示すように、左右の天板１，１’が内外の支持脚５，５、１５，１５’で水平に支持される拡開状態にあり、この時、ガスダンパー７，７’は収縮状態にあると共に、夫々のロック機構５０，５０’でガスダンパー７，７’の伸張作動を防止し、該拡開状態をロックしてある。またこの時、設置床面Ｂとの関係で左右天板１，１’の水平度に狂いが生じている場合は、左右天板１，１’の各角部における任意の調整機構７０，７０’において、アジャスター脚７２，７２’を正逆何れかの方向へ回動操作し天板１，１’の角部を上昇又は下降させて水平度を調整する。
【００３１】
卓球台Ａ’を収納する場合は、夫々のロック機構５０，５０’において摘み５２を緩み方向へ回動操作しガスダンパー７，７’の伸張を可能として拡開状態のロックを解除した後、左右の天板１，１’を折畳み方向へ僅かに押し上げれば、ガスダンパー７，７’のロッド１８，１８’が伸張しその付勢力により両天板１，１’が折畳み方向へ回動し、該両天板１，１’がその表面側を向い合せにして立ち上がると共に、内外の支持脚５，５’、１５，１５’がその天板１，１’裏面に沿って立ち上がるよう折畳まれる（図１１〜図１２参照）。該折畳み作業も、１人の作業者が左右天板１，１’の突合せ縁の側方に立って両天板１，１’を折畳み方向へ回動操作することで可能である。またこのとき、ショックアブソーバ８０，８０’が該折畳み時における両天板１，１’の表面側の密着を防止し、前記作業者が両天板１，１’で指を挟まれる恐れなく折畳み作業を行うことができる。
該折畳み終了後、夫々のロック機構５０，５０’において摘み５２を締め方向へ回動操作しガスダンパー７，７’の収縮作動を防止し、折畳み状態をロックする。
【００３２】
図１２に示す折畳み状態から拡開状態に戻す場合は、夫々のロック機構５０，５０’を操作し前記折畳み状態のロックを解除した後、左右の天板１，１’を拡開方向へ所定量押し下げれば、各天板１，１’の荷重でガスダンパー７，７’のロッド１８，１８’が収縮すると共に自重により両天板１，１’が回動して内外の支持脚５，５’、１５，１５’で水平に支持される拡開状態に復帰する。このとき、ガスダンパー７，７’の弾発力で天板１，１’の落下荷重を受けて、天板１，１’の回動が緩やかになされ、天板１，１’拡開時の衝撃を緩衝して、作業の安全性を確保すると共に拡開時の音を低減することができる。
【００３３】
以上、本考案に係る所謂通常タイプ（八本脚タイプ）の折畳み式卓球台の実施形態の一例と、参考例としての所謂バリアフリータイプの折畳み式卓球台を図面を参照して説明したが、本考案は図示例に限定されるものではなく、実用新案登録請求の範囲の各請求項に記載される技術的思想の範疇において、種々の変更が可能であることは言うまでもない。
【００３４】
【考案の効果】
本考案に係る折畳み式卓球台は以上説明したように構成したので、以下に記載されるような効果を奏する。
【００３５】
（請求項１）
ガスダンパーの弾発力によって、左右天板の折り畳み方向への回動動作を補助すると共に、折畳み状態にある左右天板を拡開する際の荷重負荷を緩衝し、且つ該拡開時の落下衝撃音を低減することが出来るので、卓球台の収納，設置作業が容易、迅速且つ安全で静かに行えるようになり、特に子供や老人、身障者などの取り扱いにも考慮され、さらにガスダンパーを用いることで、１人の作業者が左右天板の突合せ縁付近の側方に立って周囲を見渡しながら、左右天板の折畳み，拡開作業を行うことができるようになり、卓球台周囲に障害物や人が存在しないか確認した上で作業が行える。
また、ガスダンパーの数を最小限としながら、左右天板の折畳み動作の補助と両天板拡開時の緩衝を行うことができるので、部品点数の削減や組み立てに係る労力、コストを低減し得るなどの効果を奏する。
また、ショックアブソーバにより左右天板を折畳んだ際の各天板の表面側の密着を防止して、折畳み作業の安全性をさらに向上することができる。
従って、収納時，使用時の取り扱い性に優れ且つ安全性が高く、公式試合等でも使用可能な、所謂通常仕様の新規な折畳み式卓球台を提供し得た。
【００３６】
（請求項２）
請求項１の効果に加え、卓球台使用中や、折畳み状態での運搬中，収納中などに誤ってガスダンパーが作動し、意に反して左右天板が折畳まれたり開いたりする虞れがなく、取り扱いの安全性をさらに向上することができる。
【００３７】
（請求項３）
天板裏面に設けた補強桟を利用して左右天板を内折れ式に回動自在に連結する蝶番を提供でき、従来の蝶番に比べ部品点数が削減されると共に天板への取り付けが簡易化された蝶番による内折れタイプの折畳み式卓球台を提供することができる。
【図面の簡単な説明】
【図１】参考例としてのバリアフリータイプの卓球台を示す拡開状態（使用状態）の側面図。
【図２】図１における拡開又は折畳みの途中状態を示す側面図。
【図３】図１における折畳み状態（収納状態）を示す側面図。
【図４】図２の斜視図。
【図５】図１における蝶番部分の拡大図。
【図６】図２における蝶番部分の拡大図。
【図７】図３における蝶番部分の拡大図。
【図８】拡開状態におけるロック機構、調整機構部分の拡大斜視図。
【図９】拡開状態におけるロック機構、調整機構部分の拡大図で、調整機構による調整手順を表す。
【図１０】本考案に係る通常タイプの折畳み式卓球台の実施形態の一例を示す拡開状態（使用状態）の側面図。
【図１１】図１０における拡開又は折畳みの途中状態を示す側面図。
【図１２】図１０における折畳み状態（収納状態）を示す側面図。
【図１３】図１１の斜視図。
【符号の説明】
１，１’：天板
１ａ，１ａ’：天板前端
２，２’：蝶番
３，３’：キャスター
５，５’、１５，１５’：支持脚
６，６’：リンク杆機構
７，７’：ガスダンパー
１６，１６’：連結杆
９，９’：つなぎ杆
１０，１０’：回動杆
１８，１８’：伸縮ロッド
１２，１２’：伸縮ロッド
２１，２１’：回動板
２２，２２’：前側枢着部
２３，２３’：後側枢着部
２４，２４’：下側枢着部
３０，３０’：補強桟
５０：ロック機構
７０，７０’：調整機構
８０，８０’：ショックアブソーバ
【図１】
0003098227.tif 000003
【図２】
0003098227.tif 000004
【図３】
0003098227.tif 000005
【図４】
0003098227.tif 000006
【図５】
0003098227.tif 000007
【図６】
0003098227.tif 000008
【図７】
0003098227.tif 000009
【図８】
0003098227.tif 000010
【図９】
0003098227.tif 000011
【図１０】
0003098227.tif 000012
【図１１】
0003098227.tif 000013
【図１２】
0003098227.tif 000014
【図１３】
0003098227.tif 000015